(57)【要約】【課題】電子書籍の更新について、適切に管理することを可能にすることにより、利用者にとって利便性の高い電子書籍装置等を提供すること。【解決手段】電子書籍装置に記憶されている第１の電子書籍データと比較して、更新された第２の電子書籍データがサーバに存在する場合には、更新された内容を更新情報として表示する。そして、更新情報が表示された後に、更新操作が検出された場合には、第２の電子書籍データをサーバからダウンロードし、第１の電子書籍データを第２の電子書籍データに更新する。【選択図】図１
2017191509.tif 000002
【特許請求の範囲】
【請求項１】
電子書籍データを管理するサーバに接続可能な電子書籍装置において、
第１の電子書籍データが記憶されている電子書籍データ記憶手段と、
前記サーバに、前記第１の電子書籍データと比較して、更新された第２の電子書籍データが前記サーバに存在するか否かを確認する確認手段と、
前記確認手段により、前記サーバに、前記第２の電子書籍データが存在する場合には、更新された内容を更新情報として表示する更新情報表示手段と、
前記更新情報が表示された後に、更新操作が検出された場合には、前記第２の電子書籍データを前記サーバからダウンロードし、前記第１の電子書籍データを前記第２の電子書籍データに更新する更新手段と、
を備えることを特徴とする電子書籍装置。
【請求項２】
前記電子書籍データには、識別情報と、管理番号とが含まれており、
前記確認手段は、前記第１の電子書籍データと、前記第２の電子書籍データとが同一の識別情報であり、かつ、前記第１の電子書籍データの管理番号より大きい管理番号の前記第２の電子書籍データが存在するか否かを確認することを特徴とする請求項１に記載の電子書籍装置。
【請求項３】
前記電子書籍データの書影を一覧表示する一覧表示手段を更に備え、
前記更新された第２の電子書籍データが存在する場合には、前記書影の近傍に更新マークを表示する更新マーク表示手段と、
前記更新情報表示手段は、前記更新マークが選択されたときに、前記更新情報を表示することを特徴とする請求項１又は２に記載の電子書籍装置。
【請求項４】
前記電子書籍データには、付加情報が更に含まれており、
前記付加情報に、重要である情報が含まれている場合には、前記更新マークの表示を通常時とは異なる表示とすることを特徴とする請求項３に記載の電子書籍装置。
【請求項５】
前記確認手段は、前記第１の電子書籍データと比較して、改訂された第３の電子書籍データが前記サーバに存在するか否かを確認し、
前記サーバに、前記第３の電子書籍データが存在する場合には、当該第３の電子書籍データのダウンロードを誘導する表示を行う誘導表示手段と、
を備えることを特徴とする請求項１から４の何れか一項に記載の電子書籍装置。
【請求項６】
前記電子書籍データは、医書に関するデータであって、
前記更新情報には、少なくとも投薬情報、疾病名が含まれていることを特徴とする請求項１から５の何れか一項に記載の電子書籍装置。
【請求項７】
電子書籍データを管理するサーバに接続可能なコンピュータに、
第１の電子書籍データが記憶されている電子書籍データ記憶機能と、
前記サーバに、前記第１の電子書籍データと比較して、更新された第２の電子書籍データが前記サーバに存在するか否かを確認する確認機能と、
前記確認機能により、前記サーバに、前記第２の電子書籍データが存在する場合には、更新された内容を更新情報として表示する更新情報表示機能と、
前記更新情報が表示された後に、更新操作が検出された場合には、前記第２の電子書籍データを前記サーバからダウンロードし、前記第１の電子書籍データを前記第２の電子書籍データに更新する更新機能と、
を実現することを特徴とするプログラム。
【発明の詳細な説明】
【技術分野】
【０００１】
本発明は、電子書籍データを管理するサーバに接続可能な電子書籍装置等に関する。
【背景技術】
【０００２】
文章や写真等を含む電子書籍を閲覧するのに、電子書籍装置が知られている。電子書籍装置は、専用の端末装置や、一般的なタブレットや、スマートフォン等にアプリケーションをインストールすることによって実現されている。
【０００３】
これらの電子書籍装置には、複数の電子書籍が記憶可能であり、これらの電子書籍を管理する発明が知られている（例えば、特許文献１参照）。
【０００４】
また、記憶されている電子書籍に基づいて、新たな電子書籍を提示するような発明も開示されている。例えば、特許文献２には、ＤＢサーバは、電子書籍の定期購読に関するユーザの契約情報を記憶する。配信サーバは、ＤＢサーバが記憶するユーザの契約情報を参照して電子書籍を定期購読している登録ユーザを特定し、登録ユーザに電子書籍の配信が可能となった旨を通知する。配信サーバは、登録ユーザからの電子書籍の配信の要求に応答して、登録ユーザが指定するユーザ端末に電子書籍を配信する発明が開示されている。
【先行技術文献】
【特許文献】
【０００５】
【特許文献１】特開２０１５−２１０６８９号公報
【特許文献２】特開２０１６−４３９２号公報
【発明の概要】
【発明が解決しようとする課題】
【０００６】
通常の紙媒体の場合、増刷の場合に、誤記等があった場合に記載を修正した上で増刷される場合があった。しかし、電子書籍の場合、提供されるデータは、増刷する必要がないことから、通常同じ版であれば、同じ電子書籍が提供されることになっている。したがって、書籍の記載内容に誤記があったり、差し替える事項があったりした場合でも、改訂版を買うまではそのままになってしまっていた。
【０００７】
例えば、上述した特許文献２は、定期刊行物において、新しい日付の雑誌が発売された場合に知ることができるが、現在記憶されている電子書籍の内容が更新されることについては考慮されていない。
【０００８】
このような、現在記憶されている書籍の内容が変わるという点は、特に医学及び広く医学関連領域の専門書である医書においては、極めて重要である。例えば、検査値や、投薬量等の記載に誤記がある場合には、早急に修正する必要があった。また、疾病名や、薬品名、診療方針、症例等が学会等により変化する可能性があるが、病院内や講義内での状況に応じて、従前の名称の方が良い場合と、新しい名称の方が良い場合があり、その判断が重要となっていた。このような判断は、医療現場においては、極めて重要であるが、従前の電子書籍については考慮されていなかった。また、紙媒体であっても、ここまでは想定されていなかった。
【０００９】
上述した課題に鑑み、本発明が目的とするところは、電子書籍の更新について、適切に管理することを可能にすることにより、利用者にとって利便性の高い電子書籍装置等を提供することである。
【課題を解決するための手段】
【００１０】
上述した課題を解決するために、本発明の電子書籍装置は、電子書籍データを管理するサーバに接続可能な電子書籍装置であって、第１の電子書籍データが記憶されている電子書籍データ記憶手段と、前記サーバに、前記第１の電子書籍データと比較して、更新された第２の電子書籍データが前記サーバに存在するか否かを確認する確認手段と、前記確認手段により、前記サーバに、第２の電子書籍データが存在する場合には、更新された内容を更新情報として表示する更新情報表示手段と、前記更新情報が表示された後に、更新操作が検出された場合には、前記第２の電子書籍データを前記サーバからダウンロードし、前記第１の電子書籍データを前記第２の電子書籍データに更新する更新手段と、を備えることを特徴とする。
【００１１】
本発明のプログラムは、電子書籍データを管理するサーバに接続可能なコンピュータに、第１の電子書籍データが記憶されている電子書籍データ記憶機能と、前記サーバに、前記第１の電子書籍データと比較して、更新された第２の電子書籍データが前記サーバに存在するか否かを確認する確認機能と、前記確認機能により、前記サーバに、第２の電子書籍データが存在する場合には、更新された内容を更新情報として表示する更新情報表示機能と、前記更新情報が表示された後に、更新操作が検出された場合には、前記第２の電子書籍データを前記サーバからダウンロードし、前記第１の電子書籍データを前記第２の電子書籍データに更新する更新機能と、を実現することを特徴とする。
【発明の効果】
【００１２】
本発明によれば、電子書籍装置に記憶されている第１の電子書籍データと比較して、更新された第２の電子書籍データがサーバに存在する場合には、更新された内容を更新情報として表示する。そして、更新情報が表示された後に、更新操作が検出された場合には、第２の電子書籍データをサーバからダウンロードし、第１の電子書籍データを第２の電子書籍データに更新する。これにより、利用者は、更新情報がある電子書籍を確認できるだけでなく、更新される内容を確認してから、更新を行う操作を行うことができるため、電子書籍の更新を適切に管理することが可能となる。
【図面の簡単な説明】
【００１３】
【図１】第１実施形態におけるシステム全体を説明するための概略図である。
【図２】第１実施形態における電子書籍装置の機能構成を説明するための図である。
【図３】第１実施形態における管理サーバの機能構成を説明するための図である。
【図４】第１実施形態における電子書籍データのデータ構造の一例を説明するための図である。
【図５】第１実施形態における更新履歴情報のデータ構造の一例を説明するための図である。
【図６】第１実施形態における更新履歴情報のデータ構造の一例を説明するための図である。
【図７】第１実施形態におけるメイン処理を説明するための動作フロー図である。
【図８】第１実施形態における更新データ処理を説明するための動作フロー図である。
【図９】第１実施形態におけるシステムの処理を説明するためのシーケンス図である。
【図１０】第１実施形態における動作例（画面例）である。
【図１１】第１実施形態における動作例（画面例）である。
【図１２】第２実施形態、第３実施形態における電子書籍データを説明するための図である。
【図１３】第２実施形態における動作例（画面例）である。
【図１４】第３実施形態における動作例（画面例）である。
【発明を実施するための形態】
【００１４】
以下、図面を参照して本発明を実施するための形態について説明する。なお、以下の実施形態の内容に本発明の内容が限定されるものではないことは勿論である。
【００１５】
［１．第１実施形態］
［１．１  システム全体］
本発明の電子書籍装置が含まれる電子書籍管理システムを適用したシステム１について、図１を用いて説明する。図１に示すように、電子書籍を閲覧可能な電子書籍装置１０は、ネットワークＮＷを介して管理サーバ２０と接続される。
【００１６】
電子書籍装置１０は、利用者が利用する端末装置であり、例えばタブレット型で構成されている。このとき、電子書籍装置１０は、電子書籍を閲覧可能な専用端末装置であっても良いし、例えばAndroid、iOS、Windows、Linux（登録商標）といった一般的なＯＳが動作するタブレット装置に、電子書籍が閲覧可能なアプリケーション（ビューアソフト）をインストールしたものであっても良い。
【００１７】
また、本明細書では、説明の都合上、電子書籍（電子書籍データ）が閲覧可能な電子書籍装置としては、電子書籍装置１０として説明するが、電子書籍装置自体は複数接続可能なことは勿論である。例えば、コンピュータ１５にアプリケーションをインストールしたり、ＷＥＢサービスにより電子書籍の閲覧機能が提供されてもよい。
【００１８】
管理サーバ２０は、電子書籍を管理・提供するサーバである。電子書籍提供事業者が管理・運用しており、電子書籍装置１０に対して電子書籍がコンテンツとして提供される。電子書籍提供事業者としては、出版社、取次会社、書店、ソフトウェア会社といった種々の事業者が考えられる。
【００１９】
ここで、本明細書でいう電子書籍、電子書籍データとは、電子書籍装置１０で閲覧可能なコンテンツをいう。例えば、ＰＤＦ（Portable Document Format）、ＨＴＭＬ（Hyper  Text Markup Language）、ＸＭＬ（Extensible Markup Language）、ＳＧＭＬ（Standard Generalized Markup Language）、ＥＰＵＢ、テキストファイル、ドキュメントファイルといったコンテンツデータである。電子書籍装置１０上で、電子書籍データを表示させるときに、頁送りや、拡大縮小表示、検索機能、しおり機能が実現可能となる。また、リンク機能を利用して他のインターネット上のコンテンツを表示させたり、画像、音声、動画等を含めて表示させたりしても良い。このような複合的なコンテンツを電子書籍と言う。
【００２０】
また、管理サーバ２０は、機能毎に異なるサーバ構成としても良い。例えば、電子書籍を記憶するサーバや、課金管理のサーバを異なることとしても良いし、電子書籍のデータを電子書籍定業事業者毎、例えば出版社毎に用意しても良い。
【００２１】
［１．２  機能構成］
続いて、システム１を構成する装置として、電子書籍装置１０（図２）と、管理サーバ２０（図３）との機能構成について図を用いて説明する。
【００２２】
［１．２．１  電子書籍装置］
図２は、電子書籍装置１０の機能構成を説明するための図である。電子書籍装置１０は、制御部１１０と、記憶部１２０と、通信部１３０と、表示部１４０と、操作入力部１５０とを備えて構成されている。
【００２３】
制御部１１０は、電子書籍装置１０の全体を制御するための機能部である。制御部１１０は、記憶部１２０に記憶されている各種プログラムを読み出して実行することにより各種機能を実現しており、例えばＣＰＵ（Central Processing Unit）により構成されている。
【００２４】
記憶部１２０は、電子書籍装置１０の動作に必要な各種プログラムや、各種データが記憶されている機能部である。記憶部１２０は、例えば、半導体メモリや、ＨＤＤ（Hard Disk Drive）等により構成されている。
【００２５】
また、記憶部１２０には、電子書籍データ１２２と、更新履歴情報１２４と、更新管理情報１２６と、電子書籍閲覧プログラム１２８とが記憶されている。
【００２６】
電子書籍データ１２２は、電子書籍装置１０において表示可能な電子書籍データが記憶されている。電子書籍データ１２２は、例えば、図４に示すように記憶されている。
【００２７】
図４は、電子書籍データ１２２のデータ構成の一例を示した図である。電子書籍データは、電子書籍を識別するための識別情報として、書籍識別コードを記憶している。書籍識別コードとしては、システムが一意のコードを改めて付しても良いし、予め一意で定められているコード（例えば、ＩＳＢＮコード、雑誌コード）を利用しても良い。
【００２８】
ＩＳＢＮコード、雑誌コードといった共通のコードを利用する場合には、異なるシステムであっても、データを共通化できるという利点がある。また、改めてコードを付与する必要が無いという利点が考えられる。
【００２９】
また、書籍識別コードと併せて、書籍情報と、アップロード番号（ＵＰ＿ＮＯ）と、書影ファイルと、書籍ファイルと、更新情報とが記憶されている。
【００３０】
書籍情報は、電子書籍に関する情報が記憶されており、例えば書籍名、著者名、発行日、版刷、価格といった様々な情報が記憶されている。なお、これらの情報は、電子書籍データに含まず、ＩＳＢＮコード等から他のデータベースを参照しても良い。
【００３１】
アップロード番号（ＵＰ＿ＮＯ）とは、電子書籍データを管理するための番号である。書籍識別コードと、アップロード番号とを組み合わせることにより、記憶されている書籍ファイルが特定されることとなる。また、アップロード番号を電子書籍装置１０が参照することにより、現在の書籍ファイル（電子書籍装置１０に記憶されている電子書籍データ）より、管理サーバ２０に新しい電子書籍ファイルがあるか否かを判定することが可能となる。
【００３２】
アップロード番号は、数値により表されても良いし、文字により表されても良い。また、数字、文字、記号との組み合わせで表現してもよい。更に、フラグで管理しても良い。すなわち、電子書籍データが管理できる状態であれば、どのような形式であってもよい。
【００３３】
すなわち、一般的に書籍情報に記憶されている改訂情報（例えば、発行年月日や、版や刷の情報）に加えて管理されているため、改訂情報では同一であっても、異なる電子書籍データを管理することが可能となる。
【００３４】
書影ファイルは、電子書籍を一覧表示する場合や、目次表示等の閲覧処理において必要に応じて電子書籍の書影を表示する場合に利用される画像ファイルである。本実施形態では、一例として「900162011.jpg」のような画像ファイル（JPGファイル）が記憶されている。なお、書影ファイルは、電子書籍ファイルに含めず、書籍ファイルよりその都度生成しても良い。
【００３５】
書籍ファイルは、電子書籍として表示する場合に利用される電子書籍に関するデータが記憶されている。書籍ファイルは、本実施形態のように「dat」というオリジナル形式であってもよいし、ＰＤＦファイル、ｅＰＵＢ形式、ＨＴＭＬ形式といった汎用的なフォーマットを利用してもよい。
【００３６】
更新情報は、以前（原則として、直前）のアップロード番号と比較して更新した箇所・内容を表示する場合に利用される項目である。例えば、電子書籍の提供者側、出版社側の更新を含めて記憶されても良い。また、更新情報は複数記憶しても良い。例えば、アップロード番号を記憶し、当該アップロード番号との差分を更新情報として記憶することとしても良い。
【００３７】
なお、本実施形態おける電子書籍は、医書（医学書、薬学書、看護書等の医学関連領域の書籍）に適用されることを一例として説明する。すなわち、医書においては、通常の電子書籍とは異なる特徴があるからである。
【００３８】
例えば、電子書籍が新しいアップロード番号（管理番号）となったとき、更新された箇所は複数ある。この更新には、例えば、誤記等の軽微な更新もあれば、新しい薬、治療法、疾病名等により、内容が更新される場合もある。また、投薬量等の重要・重大な項目についての更新の場合も考えられる。
【００３９】
このように、更新箇所について、一般的な更新である「通常更新」と、重要・重大な更新である「重要更新」とが含まれている点が医書の特徴である。また、更新情報には、一般的な誤記等に加えて、投薬情報、疾病名、治療法、診療方針、症例等が必要に応じて含まれている。
【００４０】
また、電子書籍データ１２２は、管理サーバ２０からダウンロードして記憶されるが、例えば予め記憶部１２０に記憶されていても良いし、メモリカードにより転送され記憶されることとしても良い。
【００４１】
更新履歴情報１２４は、電子書籍データにおける更新情報を、履歴として記憶している。これにより、利用者は、過去の更新情報について、確認することが可能となる。例えば、図５に示すように、書籍識別コードと、アップロード場合（ＵＰ＿ＮＯ）と、更新情報とを記憶している。
【００４２】
なお、更新情報の履歴について利用者に確認する機能を提供しない場合には、更新履歴情報１２４を記憶する必要も無い。また、管理サーバ２０に記憶し、その都度参照することとしても良い。
【００４３】
更新管理情報１２６は、更新に関する管理情報を記憶している。例えば、更新データがある場合に、どのような更新データの管理を行うかを記憶する。
【００４４】
本実施形態の更新管理情報１２６の一例を図６に示す。更新管理情報１２６には、書籍識別コードと、アップロード番号（ＵＰ＿ＮＯ）と、更新状態とが記憶されている。ここで、更新状態は更新をどのように行うかを記憶している。例えば、更新状態が「保留」の場合は、後述する更新マークが小さく表示されることとなる。また、更新状態が「無視」の場合は、更新マークを非表示とすることができる。
【００４５】
これらの更新状態は利用者が設定できることとしてもよいし、電子書籍提供事業者が設定できることとしても良い。
【００４６】
電子書籍閲覧プログラム１２８は、電子書籍のコンテンツを表示するためのプログラムであり、制御部１１０により読み出され、実行することで、電子書籍装置１０上で電子書籍閲覧機能を実現することが可能となる。
【００４７】
電子書籍閲覧プログラム１２８が実現する電子書籍閲覧機能は、いわゆる電子書籍ビュワーが実現する一般的な機能（例えば、電子書籍の一覧表示、電子書籍の１頁／複数頁表示、しおり機能、メモ機能）は実現可能である。このような一般的機能は、従前の機能であるため、本明細書における説明を省略する。
【００４８】
通信部１３０は、電子書籍装置１０がネットワークＮＷに接続時に利用されるネットワークインタフェースを提供する。通信部１３０は、例えば、ＩＥＥＥ８０２．１１ａ／ｂ／ｇ／ｎ等で実現される無線ＬＡＮや、有線ＬＡＮ、ＬＴＥ回線を利用した携帯電話網等のインタフェースが利用可能である。
【００４９】
表示部１４０は、各種情報を表示するための機能部であり、例えばＬＣＤ、有機ＥＬディスプレイにより構成されている。また、ＨＤＭＩ（登録商標）や、ＵＳＢを介して外部モニタに表示することとしても良い。
【００５０】
操作入力部１５０は、利用者からの操作入力を検出するための機能部である。例えば、タッチパネルにより実現してもよいし、ハードウェアキーや、キーボード、マウス、音声入力装置といった各入力装置で実現されてもよい。
【００５１】
また、表示部１４０と、操作入力部１５０とを一体に形成し、タッチパネルディスプレイとして電子書籍装置１０に設けることとしても良い。
【００５２】
［１．２．２  管理サーバ］
続いて、管理サーバ２０について図３を用いて説明する。管理サーバ２０は、制御部２１０と、記憶部２２０と、通信部２３０と、ライセンス管理部２４０とを備えて構成されている。
【００５３】
制御部２１０は、管理サーバ２０の全体を制御するための機能部である。制御部２１０は、記憶部２２０に記憶されている各種プログラムを読み出して実行することにより各種機能を実現しており、例えばＣＰＵ（Central Processing Unit）により構成されている。
【００５４】
記憶部２２０は、管理サーバ２０の動作に必要な各種プログラムや、各種データが記憶されている機能部である。記憶部２２０は、例えば、半導体メモリや、ＨＤＤ（Hard Disk Drive）等により構成されている。
【００５５】
また、記憶部２２０には、電子書籍データを格納するための領域である電子書籍データ格納領域２２２が確保されている。
【００５６】
電子書籍データ格納領域２２２には、一又は複数の電子書籍データが格納されている。電子書籍データは、図４に示したデータである。電子書籍装置１０からの要求に応じて、電子書籍データを電子書籍装置１０に送信する。
【００５７】
通信部２３０は、管理サーバ２０がネットワークＮＷに接続時に利用されるネットワークインタフェースを提供する。通信部２３０は、Ｅｔｈｅｒｎｅｔ（登録商標）等の有線ＬＡＮでネットワークＮＷと接続されている。なお、ＩＥＥＥ８０２．１１ａ／ｂ／ｇ／ｎ等で実現される無線ＬＡＮや、ＬＴＥ回線を利用した携帯電話網等のインタフェースであっても実現可能である。
【００５８】
ライセンス管理部２４０は、電子書籍装置１０においてダウンロードされたり、閲覧されたりする電子書籍に関するライセンス情報を管理している機能部である。電子書籍装置１０から、ダウンロードや閲覧の要求があった電子書籍にライセンスを有しているか否かを管理している。
【００５９】
［１．３  処理の流れ］
続いて、本実施形態における電子書籍装置１０の処理の流れについて説明する。
【００６０】
［１．３．１  メイン処理］
まず、電子書籍装置１０において、電子書籍閲覧処理を実行する場合の動作フローについて、図７を用いて説明する。
【００６１】
まず、電子書籍閲覧アプリが起動すると（ステップＳ１０２；Ｙｅｓ）、ラインセンス確認処理が実行される（ステップＳ１０４）。ライセンス確認処理は、例えば、記憶部１２０に記憶されている電子書籍データ１２２ついて、利用者がライセンスを有しているか否かを確認する。具体的には、管理サーバ２０のライセンス管理部２４０に問い合わせて確認等を行えば良い。
【００６２】
また、ダウンロードされていない電子書籍データがある場合、ダウンロードするか否かを確認するときに、ライセンスの有無を確認してもよい。また、このようなライセンス管理は、例えば電子書籍データ毎にしても良いし、契約期間中は表示可能というようなサブスクリプション方式を利用してもよい。
【００６３】
続いて、更新データ確認処理が実行される（ステップＳ１０６）。更新データ確認処理は、現在の記憶部１２０に記憶されている電子書籍データのアップロード番号と、管理サーバ２０に記憶されている電子書籍データのアップロード番号とを比較することにより行う。
【００６４】
具体的には、記憶されている電子書籍データ１２２に対応するアップロード番号を管理サーバ２０から取得する。そして、管理サーバ２０に記憶されているアップロード番号の方が大きい場合には、更新データがあると判定する。
【００６５】
続いて、更新データがあった場合には、更新マークを表示する（ステップＳ１１０）。更新マークを表示する方法としては種々の方法が考えられるが、本実施形態では、一覧表示されている書影の近傍に（例えば、書影データに重畳して）更新マークを表示することとする。
【００６６】
更新マークとしては、ピクトグラム・アイコンとして分かりやすく表示しても良いし、「更新」といった文字で表示しても良い。また、書影を強調表示したり、色を変えて表示するといった方法でも可能である。
【００６７】
ここで、利用者により更新マークが選択されると（ステップＳ１１２；Ｙｅｓ）、更新データ処理が実行されることになる。例えば、表示されている更新マークのアイコン表示を、利用者がタッチすることにより、更新マークが選択される。更新データ実行処理が実行されると、電子書籍データが更新されることとなるが、当該処理については後述する。
【００６８】
また、電子書籍データが選択されると（ステップＳ１１６；Ｙｅｓ）、電子書籍閲覧表示処理が実行され、電子書籍が表示され、閲覧可能となる（ステップＳ１１８）。
【００６９】
そして、電子書籍の閲覧終了後、アプリケーションの終了が選択されれば本処理は終了し（ステップＳ１２０；Ｙｅｓ）、それ以外の場合には、処理を継続する（例えば、本実施形態では再度ステップＳ１０４から繰り返し実行する）。
【００７０】
［１．３．２  更新データ処理］
つづいて、更新データ処理について図８を用いて説明する。まず、管理サーバ２０より、更新マークが選択された電子書籍データに対応する更新情報を取得する（ステップＳ１５２）。つづいて、取得された更新情報の内容を表示する（ステップＳ１５４）。
【００７１】
ここで、利用者からダウンロードが選択された場合には（ステップＳ１５６；Ｙｅｓ）、電子書籍データを管理サーバ２０からダウンロードする（ステップＳ１５８）。これにより、書籍ファイルが新しいファイルに更新されることとなる。また、併せて更新履歴情報１２４を更新する（ステップＳ１６０）。
【００７２】
また、更新情報を表示した後、ダウンロードをしないと選択された場合には（ステップＳ１５６；Ｎｏ）、更新マークを保留にするか否かを選択できることとしても良い（ステップＳ１６２）。
【００７３】
すなわち、利用者が更新マークを「保留」と選択することで、更新管理情報１２６の更新状態が「保留」となる（ステップＳ１６２；Ｙｅｓ→ステップＳ１６４）。これにより、以降、電子書籍データに表示される更新マークは保留状態として表示される。
【００７４】
更新マークを保留にするためには、例えばメニュー選択としても良いし、タッチ状態を維持したり、スワイプ処理をしたりと、各種操作を行うことにより保留状態に切り替えることが可能となる。
【００７５】
なお、ステップＳ１６２、Ｓ１６４については、実行しなくてもよい。すなわち、ダウンロード指示が無かった場合は、当該ステップの実行をせずに本処理を終了としても良い。また、更新状態を「保留」となっているものを、元に戻す処理を加えても良い。
【００７６】
［１．３．３  システム処理］
続いて、電子書籍装置１０と、管理サーバ２０とのシステムの処理について、図９を用いて説明する。
【００７７】
まず、電子書籍装置１０は、図７のステップＳ１０４において、ライセンス確認処理を実行する。このとき、管理サーバ２０に対してライセンス情報確認要求を送信する（Ｓ１００２）。管理サーバ２０は、ライセンス情報確認要求に基づいて、電子書籍データのライセンス情報について、ライセンス情報確認応答として電子書籍装置１０に送信する（Ｓ１００４）。
【００７８】
つづいて、電子書籍装置１０は、必要に応じてアップロード番号要求を管理サーバ２０に送信する（Ｓ１００６）。本実施形態では、例えばアップロード番号要求については、要求する電子書籍データの書籍識別コードを含めて送信している。要求する電子書籍データとしては、例えば、電子書籍装置１０において、記憶されている電子書籍データについて送信されても良いし、前記ライセンス情報が確認された電子書籍データが送信されても良い。
【００７９】
管理サーバ２０は、アップロード番号要求に含まれている書籍識別コードに対応するアップロード番号を、アップロード番号応答に含めて電子書籍装置１０に送信する（Ｓ１００８）。このように、アップロード番号応答に含めて書籍識別コードと、アップロード番号とが送信されることで、電子書籍装置１０は、自装置に記憶されている電子書籍データのアップロード番号と比較を行うことが可能となる。
【００８０】
そして、アップロード番号が相違している（通常、管理サーバ２０のアップロード番号の方が大きくなる）場合には、現在記憶されている電子書籍データにより新しい電子書籍データ（更新された電子書籍データ）があると分かるため、書籍に更新マークを表示する（Ｓ１０１０）。
【００８１】
ここで、更新マークとしては、例えば電子書籍の書影の近傍に表示（例えば、重畳して表示）することとしても良いし、更新表示欄を設けて、そこに表示させても良い。また、更新マークが表示されている電子書籍データを優先的に表示してもよい。例えば、ソートで上位に表示させたり、大きめの書影を表示させたり、識別表示を行ったりすることが可能である。
【００８２】
なお、図９の処理では、電子書籍装置１０で更新の有無を確認しているが、管理サーバ２０側で行っても良い。例えば、アップロード番号要求に書籍識別コードと、アップロード番号とを含めて送信する。管理サーバ２０とは、アップロード番号が相違している書籍識別コードのみをアップロード番号応答に含めて送信する。これにより、電子書籍装置１０は、どの電子書籍データに更新された電子書籍データがあるかを把握することが可能となる。
【００８３】
次に、更新マークが選択されると（Ｓ１０１２）、更新マークが選択された電子書籍データに対応する書籍識別コードが、更新情報要求に含めて送信される（Ｓ１０１４）。
【００８４】
管理サーバ２０は、更新情報を更新情報応答に含めて、電子書籍装置１０に送信される（Ｓ１０１６）。更新情報応答には、書籍識別コードと更新情報とが含まれているが、少なくとも更新情報が含まれれば良い。
【００８５】
電子書籍装置１０は、更新情報を表示する（Ｓ１０１８）。ここで、利用者により、電子書籍を更新する操作が行われた、すなわち電子書籍ダウンロード要求が選択された場合には（Ｓ１０２０）、電子書籍データ要求が管理サーバ２０に送信される（Ｓ１０２２）。電子書籍データ要求には、書籍識別コードが含まれており、管理サーバ２０は、書籍識別コードに対応する電子書籍データを、電子書籍装置１０に送信する（Ｓ１０２４）。
【００８６】
このように、上述した処理を実行することによって、電子書籍データについて、利用者は適宜新しい電子書籍データをダウンロード可能となり、記憶されている電子書籍データの更新を容易に、かつ、適切に行うことが可能となる。また、利用者が選択しないといった動作を行うことができるため、従前の表記の電子書籍をそのまま利用できるといった選択も行うことが可能となる。
【００８７】
［１．４  動作例］
つづいて、本実施形態における動作例について、図を用いて説明する。図１０は、電子書籍装置１０に表示される電子書籍を一覧表示した表示画面Ｗ１００の一例である。表示画面Ｗ１００の電子書籍一覧表示として、各電子書籍データの書影がタイル状に表示されている。また、下段のグレー部は、電子書籍データが電子書籍装置１０にダウンロードされていない状態を示している（これらの書影をタッチすることで、電子書籍データが電子書籍装置１０にダウンロードされる）。
【００８８】
また、上部には、左からメニューボタン、ソートボタンが表示されており、右上には検索ボタンが表示されている。これらのボタンをタッチ（タップ）することで、各種機能を実現することが可能となる。
【００８９】
例えば、図１０（ａ）の場合、表示されている電子書籍「臨床学」（Ｂ１００）の書影に、更新マークＭ１００が重畳表示されている。このマークが表示されていることから、当該電子書籍には、新しい電子書籍データ、すなわち現在記憶されている電子書籍データより更新された電子書籍データがあることが識別表示されることとなる。このとき、利用者がＢ１００をタッチすると現在記憶されている電子書籍データが表示される。
【００９０】
更新マークＭ１００がタッチされた場合、図１０（ｂ）の表示画面Ｗ２００に遷移する。表示画面Ｗ２００には、領域Ｒ２００に、更新データをダウンロードするか否かを確認するウィンドウが表示される。このとき、ウィンドウには、更新情報が領域Ｒ２１０に表示される。利用者は更新情報を確認することで、ダウンロードをするか否かを確認することができる。これにより、現在ダウンロードする電子書籍データに含まれている更新情報を確認してからダウンロードをすることができる。
【００９１】
これにより、更新情報を見て、内容を判断することは勿論のこと、通信環境に基づいても考慮して、利用者は選択することが可能となる。例えば、利用者が現在外出先で、ＬＴＥ環境に存在する場合、更新内容が大きくなければＷｉ−Ｆｉ環境でダウンロードするという選択ができたり、内容的に更新したくないといった選択ができたりするようになる。
【００９２】
利用者は、ダウンロードをする場合はＣ２００のダウンロードボタンをタッチすることで、新しい（更新された）電子書籍データをダウンロードすることが可能となる。また、ダウンロードをしたくない場合には、Ｃ２１０のキャンセルボタンをタッチすることで、ダウンロードを行うこと無く、電子書籍装置１０を利用することができる。
【００９３】
このように、電子書籍データをダウンロードする／しないについて、単に新しい電子書籍データの有無だけでなく、コンテンツ内容に基づいて、選択することができる。特に、電子書籍のコンテンツが医書の場合、そのニーズはかなり高くなる。
【００９４】
すなわち、病名や、薬品名、診療方針、症例等が変更された場合であっても、従前の名称を利用者によっては使用し続けたい場合がある。例えば、病院内において従前の名称の方が医療スタッフに通じやすかったり、大学や専門学校等の教育機関において、学生の学習状況によっては、従前の名称の方が通じやすかったりする。
【００９５】
また、電子書籍と同内容の紙媒体を所持している場合は、電子書籍版においても紙媒体と同表記でなければ学習や施設利用の妨げや支障がある場合がある。
【００９６】
このような場合、紙媒体は従前の名称のままに関わらず、電子書籍データが更新されてしまうと、従前の名称と、新しい名称とが混在してしまい、使い勝手が低下すると行った問題が起きてしまう。
【００９７】
しかし、例えば投薬量の修正や、実験データの誤記の修正、診療方針の変更といった、更新内容によっては早急に更新する必要がある情報も含まれている。したがって、本実施形態に記載したように、更新される内容をしめす更新情報を表示した上で、ダウンロードするか否かを選択させるといったことが重要である。
【００９８】
つづいて、更新しないと利用者が選択した場合、図１１（ａ）の表示画面Ｗ３００に遷移する。すなわち、今後も更新マークを表示するか否かを選択させる。具体的には、ウィンドウを領域Ｒ３００に表示し、更新情報を領域Ｒ３１０に表示する。この更新情報は確認のために表示しているが、このウィンドウにおいては表示しなくても良い。
【００９９】
また、領域Ｒ３００に表示されたウィンドウには、このまま更新マークを表示するか（表示）、今後は表示しない（保留）かを選択させるボタンが表示されている。ここで、利用者がＣ３００に表示されている「保留」ボタンを選択した場合、図１１（ｂ）の表示画面Ｗ３５０に遷移する。
【０１００】
表示画面Ｗ３５０に、保留と選択された場合には、更新マークＭ３５０は小さく表示されている。通常の更新マークＭ３５２に比較して、表示が小さいことから、更新をする必要が無い場合に更新マークが小さくなることにより、利用者にとって使い勝手の良い電子書籍装置となる。
【０１０１】
なお、当該更新マークは非表示としても良いし、他の表示形式としてもよい。例えば、更新可能な電子書籍データがある電子書籍の書影を明るくしたり、点滅表示したり、太線で囲う等しても良い。すなわち、更新するデータがあることが、利用者にとって識別できれば良い。
【０１０２】
［２．第２実施形態］
つづいて、第２実施形態について説明する。第２実施形態は、電子書籍データに付加情報を持たせた場合の実施形態である。なお、システム構成、機能構成は、第１実施形態と同様であるため、その説明を省略する。
【０１０３】
第２実施形態では、管理サーバ２０に格納される電子書籍データに、付加情報が追加されている。付加情報は、別に管理されていてもよいし、電子書籍データと一体として管理されていてもよい。
【０１０４】
例えば、図１２に示すように、書籍識別コード、アップデート番号と対応づけて付加情報が記憶されている。例えば付加情報として「重要」が記憶されている。
【０１０５】
本実施形態における付加情報は、電子書籍データの更新データの重要度が記載されている。例えば、「重要」と記憶されている場合は、重要な更新データであるため、その旨を利用者に報知することが可能となる。
【０１０６】
本実施形態における動作例を図１３に示す。図１３（ａ）の表示画面Ｗ４００は、通常の更新マークＭ４００と比較し、重要な更新マークＭ４１０が表示されている。重要な更新マークを示すためには、図１３（ａ）のように色や濃さを変えても良いし、大きさ、形等を変えても良い。また、点滅表示としたり、マーク表示以外を行うこととしても良い。すなわち、通常の更新マークと異なる表示とすれば良い。
【０１０７】
図１３（ｂ）は、更新マークＭ４１０が選択された場合の表示画面Ｗ４５０の一例である。領域Ｒ４５０に表示されるウィンドウには「今回の更新は重要です」と表示しており、利用者に注意喚起を行っている。
【０１０８】
また、ボタンとしてＣ４５０が表示されているが、「ダウンロード」のみである。すなわち、本図のように、キャンセルができないといった処理としても良い。
【０１０９】
上述した「重要」という付加情報以外にも、例えば「軽微」や「誤記」と記憶されている場合には、利用者に確認せずに更新を行うといったことも可能である。また、最重要な更新ということで「最重要」と付加情報を記憶することで、強制的に更新処理を行うことも可能となる。
【０１１０】
このように、本実施形態によれば、電子書籍提供事業者側から、電子書籍データの更新について付加情報に基づいてコントロールすることが可能である。これにより、重要な更新の場合は、電子書籍データを更新させたり、誤記の修正といった電子書籍提供事業者側の軽微な修正の場合には、更新情報を表示させずに更新を行ったりするといったことが可能となる。
【０１１１】
したがって、利用者は重要な更新データを認識した上で電子書籍データを更新できたり、本来確認が不要な軽微な修正については確認せずに更新することができるようになる。
【０１１２】
［３．第３実施形態］
つづいて、第３実施形態について説明する。第１実施形態及び第２実施形態は、紙媒体でいうところの「刷」の更新に対応する処理であるが、第３実施形態は、紙媒体でいうところの「版」の更新に対応する処理である。
【０１１３】
「版」が変わった場合は、通常異なる書籍となるため書籍識別コードが変更となる。そこで、付加情報に、次の「版」に対応する電子書籍の「書籍識別コード」を記憶しておく。図１２を参照すると、書籍識別コード「9784524990124」については、アップロード番号が「Ｅ」となっており、今回のアップロード番号で書籍のアップデートが終了することを示している。この場合、付加情報に改訂版の電子書籍データの書籍識別コード「9784524990364」が記憶されている。
【０１１４】
図１４は、本実施形態における動作例を説明するための図である。図１４（ａ）に示すように、表示画面Ｗ５００に、次の版に対応する書籍があることを示す改訂版マークＭ５００が表示されている。
【０１１５】
ここで、利用者が改訂版マークＭ５００をタッチすると、図１４（ｂ）の表示画面Ｗ５５０に遷移する。表示画面Ｗ５５０には、領域Ｒ５５０にウィンドウが表示されており、次の改訂版に対応する電子データがあることが表示されている。
【０１１６】
ここで、利用者が「購入」と選択することにより、付加情報に記憶されている書籍識別コードに対応する電子書籍データを購入可能となる。なお、当該画面から直接購入できることとしても良いし、電子書籍の販売ストアの画面に誘導することとしてもよい。
【０１１７】
利用者としては、改訂版が出ているか否かを調べる必要がなく、また、簡易な手続で改訂版を入手することが出来るようになる。
【０１１８】
また、本実施形態では、付加情報に異なる書籍識別コードを記載することとしたが、単純にダウンロードページのＵＲＬを記載したり、商品コードを記載したりすることとしても良い。また、単に「改訂版」がある情報のみを有しており、管理サーバ２０で誘導することとしても良い。
【０１１９】
また、このように表示画面Ｗ５５０において購入した場合と、電子書籍ストアで直接購入した場合とで、例えば価格に差を設けても良い。このように、付加サービスを行うことによって、利用者にとってより使い勝手の良い電子書籍装置を提供することが可能となる。
【０１２０】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１２１】
上述した実施形態では、電子書籍の表示・閲覧処理を電子書籍装置１０上で実現しているが、代わりにサービス提供サーバで実現してもよい。すなわち、ＡＳＰ（Application Service Provider）型のサービスにおいて、電子書籍閲覧サービスを提供し、電子書籍装置１０においては、例えばＷＥＢブラウザ上で上記サービスを利用する構成としてもよい。
【符号の説明】
【０１２２】
１  システム
１０  電子書籍装置
１１０  制御部
１２０  記憶部
１２２  電子書籍データ
１２４  更新履歴情報
１２６  更新管理情報
１２８  電子書籍閲覧プログラム
１３０  通信部
１４０  表示部
１５０  操作入力部
２０  管理サーバ
２１０  制御部
２２０  記憶部
２２２  電子書籍データ格納領域
２３０  通信部
２４０  ライセンス管理部
【図１】
2017191509.tif 000003
【図２】
2017191509.tif 000004
【図３】
2017191509.tif 000005
【図４】
2017191509.tif 000006
【図５】
2017191509.tif 000007
【図６】
2017191509.tif 000008
【図７】
2017191509.tif 000009
【図８】
2017191509.tif 000010
【図９】
2017191509.tif 000011
【図１０】
2017191509.tif 000012
【図１１】
2017191509.tif 000013
【図１２】
2017191509.tif 000014
【図１３】
2017191509.tif 000015
【図１４】
2017191509.tif 000016